(57)【要約】【課題】隠蔽性を備えることが容易であるとともに、使用時や排泄物などの内容物が膨潤した場合における強度も十分維持できるとともに、使用温度においては強度を維持することが可能で、トイレに廃棄する場合や生ゴミとして廃棄する場合に易廃棄処理が容易なパウチを提供することを目的とする。【解決手段】水解紙と水溶性接着剤とポリビニルアルコール層とが順に積層されているフィルムが、ポリビニルアルコール層どうしが向かい合った状態で少なくとも周縁部でシールされていることを特徴とするパウチを提供するものである。【選択図】図１
2020171536.tif 000002
【特許請求の範囲】
【請求項１】
水解紙と水溶性接着剤とポリビニルアルコール層とが順に積層されているフィルムが、ポリビニルアルコール層どうしが向かい合った状態で、少なくとも周縁部でシールされていることを特徴とするパウチ。
【請求項２】
水解紙にポリビニルアルコール層を押出し加工して積層されているフィルムが、ポリビニルアルコール層どうしが向かい合った状態で、少なくとも周縁部でシールされていることを特徴とするパウチ。
【請求項３】
水解紙にポリビニルアルコール層を熱ラミネート加工して積層されているフィルムが、ポリビニルアルコール層どうしが向かい合った状態で、少なくとも周縁部でシールされていることを特徴とするパウチ。
【請求項４】
ポリビニルアルコール層の可溶温度が４０度以上９０度以下であることを特徴とする請求項１から３何れか記載のパウチ。
【請求項５】
ポリビニルアルコール層が染料を含んでいることを特徴とする請求項１から４何れか記載のパウチ。
【請求項６】
隠蔽層をさらに備えていることを特徴とする請求項１から５何れか記載のパウチ。
【請求項７】
簡易トイレ用のパウチであることを特徴とする請求項１から６何れか記載のパウチ。
【発明の詳細な説明】
【技術分野】
【０００１】
本発明は、易廃棄可能なパウチに関する。
【背景技術】
【０００２】
従来の簡易トイレ用汚物処理袋としては、特許文献１の成形機から折り畳まれた状態で送り出された連続したポリエチレン、ポリプロピレン、ポリ塩化ビニル、エチレン等の熱可塑性樹脂の筒状フィルムに対し、底シール部や側シール部をヒートシールにより形成するとともに、所定の長さに切断することにより長方形等に形成されるとともに、所定の長さに切断される。
【０００３】
しかし、上記のようなフィルムのみで袋を構成した場合、隠蔽性が不十分な場合があり、前述の素材は水溶性が甘いため、トイレで廃棄できず、一般ゴミとして出す必要がある。逆に、ポリビニルアルコールなどの水溶性フィルムや水解紙の単層の構成の場合ではトイレに廃棄することは可能だが、排泄物などの内容物が膨潤した場合における強度も不足がちであった。膜厚を厚くする考えもあるが、それによって可溶性が劣るようになり、易廃棄性が低下しやすくなってしまう。
【０００４】
他方、水解紙としては引用文献２や引用文献３のようなものが公知であった。
【先行技術文献】
【特許文献】
【０００５】
【特許文献１】特開２０１４−１８３９５５
【特許文献２】特開平９−１６４０９６
【特許文献１】特開平２−１５４０９５
【発明の概要】
【発明が解決しようとする課題】
【０００６】
本発明は、このような従来技術の問題点を解決しようとするものであり、隠蔽性を備えることが容易である。また、使用時や排泄物などの内容物が膨潤した場合における強度も十分維持できるとともに、使用温度においては強度を維持することが可能で、トイレに廃棄する場合や生ゴミとして廃棄する場合に易廃棄処理が容易なパウチが求められていた。
【課題を解決するための手段】
【０００７】
本発明は、上記の課題を解決するために成されたものであり、本発明の請求項１に係る発明は、水解紙と水溶性接着剤とポリビニルアルコール層とが順に積層されているフィルムが、ポリビニルアルコール層どうしが向かい合った状態で、少なくとも周縁部でシールされていることを特徴とするパウチを提供するものである。
【０００８】
本発明の請求項２に係る発明は、水解紙にポリビニルアルコール層を押出し加工して積層されているフィルムが、ポリビニルアルコール層どうしが向かい合った状態で、少なくとも周縁部でシールされていることを特徴とするパウチを提供するものである。
【０００９】
本発明の請求項３に係る発明は、水解紙にポリビニルアルコール層を熱ラミネート加工して積層されているフィルムが、ポリビニルアルコール層どうしが向かい合った状態で、少なくとも周縁部でシールされていることを特徴とするパウチを提供するものである。
【００１０】
本発明の請求項４に係る発明は、ポリビニルアルコール層の可溶温度が４０度以上９０
度以下であることを特徴とする請求項１から３何れか記載のパウチを提供するものである。
【００１１】
本発明の請求項５に係る発明は、ポリビニルアルコール層が染料を含んでいることを特徴とする請求項１から４何れか記載のパウチを提供するものである。
【００１２】
本発明の請求項６に係る発明は、隠蔽層をさらに備えていることを特徴とする請求項１から５何れか記載のパウチを提供するものである。
【００１３】
本発明の請求項７に係る発明は、簡易トイレ用のパウチであることを特徴とする請求項１から６何れか記載のパウチを提供するものである。
【発明の効果】
【００１４】
本発明のパウチにより、隠蔽性を備えることが容易な構成となり。また、使用時や排泄物などの内容物が膨潤した場合における強度も十分維持できるとともに、使用温度においては強度を維持することが可能で、トイレに廃棄する場合や生ゴミとして廃棄する場合に易廃棄処理が容易になった。
【図面の簡単な説明】
【００１５】
【図１】本発明のパウチに用いられるフィルムの一実施形態を示す概念断面図である。
【図２】本発明の図１のフィルムを用いたパウチの一実施形態における正面図である。
【図３】本発明のパウチに用いられる図１のフィルムとは異なるフィルムの一実施形態を示す概念断面図である。
【図４】本発明の比較例のパウチに用いられるフィルムの一実施形態を示す概念断面図である。
【図５】本発明の比較例のパウチに用いられる図４のフィルムとは異なるフィルムの一実施形態を示す概念断面図である。
【発明を実施するための形態】
【００１６】
本発明の実施の形態を図１および図２に基づいて詳細に説明する。図１は本発明のパウチに用いられるフィルムの一実施形態を示す概念断面図、図２は本発明の図１のフィルムを用いたパウチの一実施形態における正面図である。
【００１７】
本実施の形態のパウチに用いられるフィルムは、順に印刷層１１、水解紙１２、水溶性接着層１３、ポリビニルアルコール層１４からなっている。
【００１８】
このフィルム同士をポリビニルアルコール層１４が向かい合わせになるように貼り合せて周縁をヒートシールして底シール部２１と両側の側部シール部２２からなるシール部２３を形成し、その他の内容物部２４は貼り合わさっておらず、また上部はシール部がない開口部２５を形成している。
【００１９】
水解紙１２は、内容物を隠蔽し、かつ排泄物などの内容物が入りポリビニルアルコール層１４をなすポリビニルアルコールフィルムが膨潤した際の強度不足を補う役割を果たすものである。さらに、隠蔽度を向上するたえに目隠し印刷を施すことも可能である。
【００２０】
この水解紙の水解度としては、ＪＩＳ  Ｐ４５１０「トイレットペーパー」に規定する「ほぐれやすさ」を基準とすることが可能で、この規格で１００秒以内の要件を満たすものを指す。
【００２１】
この場合の水解紙は、種類を問うものではなく、抄紙した紙でも、不織布でも構わない
。坪量としては、パウチの大きさによって好ましい坪量を自由に設定しうるが、一般的用途においては５ｇ／ｍ２以上１００ｇ／ｍ２が好ましく、コスト、水解性、隠蔽性の観点から１０ｇ／ｍ２以上５０ｇ／ｍ２がより好ましい。
【００２２】
水溶性接着層に用いられる水溶性接着剤については、トイレボウル内の排水の水および追加投入した温水により完全溶解し１００％固形分が残らないものが好ましい。
【００２３】
水溶性接着剤の材料としては、タピオカや澱粉等の多糖類、ポリビニルアルコール、その他各種水溶性接着剤を使用可能である。この場合、水解紙にポリビニルアルコールを直接押出し加工や、ポリビニルアルコールフィルムを熱ラミネートする場合は、水溶性接着剤を使用しない構成も可能である。
【００２４】
ポリビニルアルコール層については、ポリビニルアルコールフィルムを水解紙に貼っても構わないし、水解紙に押出しラミネートや溶媒キャスト等で水解紙に製膜する方法でも良い。鹸化等により冷水可溶性から熱水可溶性をコントロール可能だが、常態使用時での強度とトレイもしくはパウチの廃棄の際の水解性のトレードオフの関係から、可溶温度としては４０度以上９０度以下が好ましい。
【００２５】
また、適切なポリビニルアルコール層の厚みとしては１０μｍ以上１００μｍ以下で使用可能だが、廃棄時のパウチの強度、水解性の観点から１５μｍ以上８０μｍ以下が好ましい。
【００２６】
さらにポリビニルアルコール層に水溶性染料を含ませて印刷インキの代替とすることも可能である。
【００２７】
このようなパウチは、バケツや幼児用や介護用など各種簡易トイレに設置し、トイレとして使用する。そして、使用終了後には簡易トイレより内容物の入ったパウチを取外し、トイレのトイレボウルに入れ、湯を掛けることによりパウチが軟化溶解し、そのまま水洗して流すことが可能になった。
【実施例】
【００２８】
＜実施例１＞
水解紙２５ｇ／ｍ２の表面に隠蔽用の黒ベタ印刷を行い、裏面に５０度温水で溶解する５０μｍ厚のポリビニルアルコールフィルムを５ｇ／ｍ２の澱粉糊でラミネートを行いポリビニルアルコール層を形成した。その結果、順に印刷層１１、水解紙１２、水溶性接着層１３、ポリビニルアルコール層１４からなっている積層体が得られた。
【００２９】
このような積層体どうしを、ポリビニルアルコール層が相対して接する状態で底部と側部で三方シールし、高さ２００ｍｍ×横幅４００ｍｍのパウチを得た。この結果、上方では４００ｍｍのうち両側シール幅を除く大きさの開口部を持つパウチが得られた。
【００３０】
このようなパウチを、バケツに取り付けた上でトイレとして使用した。使用終了後にバケツより内容物の入ったパウチを取外し、トイレのトイレボウルに入れ、湯を掛けた。
【００３１】
＜実施例２＞
水解紙２５ｇ／ｍ２の裏面に７０度温水で溶解し、かつ隠蔽用に墨系の染料からなるインキを添加した５０μｍ厚のポリビニルアルコールフィルムを５ｇ／ｍ２のポリビニルアルコール系の糊でラミネートを行いポリビニルアルコール層を形成した。その結果、順に水解紙３１、水溶性接着層３２、ポリビニルアルコール層３３からなっている積層体が得られた。
【００３２】
このようなフィルムどうしを、ポリビニルアルコール層が相対して接する状態で底部と側部で三方シールし、高さ２００ｍｍ×横幅４００ｍｍのパウチを得た。この結果、上方では４００ｍｍのうち両側シール幅を除く大きさの開口部を持つパウチが得られた。
【００３３】
このようなパウチを、バケツに取り付けた上でトイレとして使用した。使用終了後にバケツより内容物の入ったパウチを取外し、トイレのトイレボウルに入れ、湯を掛けた。
【００３４】
＜比較例１＞
水解紙２５ｇ／ｍ２の裏面に冷水で溶解する５０μｍ厚のポリビニルアルコールフィルムを５ｇ／ｍ２の澱粉糊でラミネートを行った。その結果、順に水解紙４１、水溶性接着層４２、冷水溶解性ポリビニルアルコール層３３からなっている積層体が得られた。
【００３５】
このようなフィルムどうしを、ポリビニルアルコール層が相対して接する状態で底部と側部で三方シールし、高さ２００ｍｍ×横幅４００ｍｍのパウチを得た。この結果、上方では４００ｍｍのうち両側シール幅を除く大きさの開口部を持つパウチが得られた。
【００３６】
このようなパウチを、バケツに取り付けた上でトイレとして使用した。使用終了後にバケツより内容物の入ったパウチを取外し、トイレのトイレボウルに入れ、湯を掛けた。
【００３７】
＜比較例２＞
上質紙２５ｇ／ｍ２の裏面に、５０μｍ厚の低密度ポリエチレンフィルムを５ｇ／ｍ２のポリウレタン系ドライラミネート接着剤でラミネートを行いポリエチレン層を形成した。その結果、順に上質紙５１、ポリウレタン接着層５２、ポリエチレン層５３からなっている積層体が得られた。
【００３８】
このようなフィルムどうしを、ポリビニルアルコール層が相対して接する状態で底部と側部で三方シールし、高さ２００ｍｍ×横幅４００ｍｍのパウチを得た。この結果、上方では４００ｍｍのうち両側シール幅を除く大きさの開口部を持つパウチが得られた。
【００３９】
このようなパウチを、バケツに取り付けた上でトイレとして使用した。使用終了後にバケツより内容物の入ったパウチを取外し、トイレのトイレボウルに入れ、湯を掛けた。
【００４０】
＜比較例３＞
バケツをトイレとして使用した。使用終了後にバケツの内容物をトイレのトイレボウルに入れ、湯を掛けた。
【００４１】
＜評価＞
（１）トイレ廃棄性
廃棄するためにトイレボウルに置かれた状態で湯を掛けた。その結果、実施例１、２および比較例３では、全てトイレボウルより完全に流された。対して比較例１ではポリビニルアルコールが、比較例２ではパウチ全体が溶解や解離せず、トイレボウルに詰まってしまった。
【００４２】
（２）生ごみ廃棄性
廃棄するために生ごみとして処理した。その結果、実施例１、２および比較例２では問題なく生ごみとして処理できた。対して比較例１ではポリビニルアルコールが他の生ごみの水分と接触して溶解し、内容物が露出し異臭を放った。比較例３では内容物が露出し異臭を放った。
【００４３】
（３）パウチの強度
バケツに取り付けた上でトイレとして複数回使用し、内容物が多くなった。その結果、実施例１、２および比較例２ではパウチが破れることはなかった。対して比較例１ではポリビニルアルコールが他の生ごみの水分と接触して溶解し、破れだしてしまった。
【００４４】
（４）バケツ洗浄
実施例１、２および比較例１、２ではバケツがパウチにより覆われているので、バケツは清浄状態を保ち洗浄の必要はなかった。しかし、比較例３ではバケツに内容物が付着し、そのままでは異臭を放ったり不衛生になり、洗浄が不可欠であった。
【００４５】
（５）快適性
快適性を調べた結果、実施例１、２では快適であった。比較例１、３では快適ではなく、比較例２ではその中間であった。
【００４６】
このような評価の結果を表１に示す。以上の（１）から（５）の個別評価を総合評価した結果、実施例１、２では何も問題なく◎評価であった。比較例２では問題点も多く△評価であった。さらに比較例１、３では実質的に簡易トイレ用パウチとして極めて用いにくい×評価になった。
【００４７】
【表１】
2020171536.tif 000003
【符号の説明】
【００４８】
１１・・・印刷層
１２、３１、４１・・・水解紙
１３、３２、４２・・・水溶性接着層
１４、３３・・・ポリビニルアルコール層
２１・・・底シール部
２２・・・側部シール部
２３・・・シール部
２４・・・内容物部
２５・・・開口部
４３・・・冷水溶解性ポリビニルアルコール層
５１・・・上質紙
５２・・・ポリウレタン系接着層
５３・・・ポリエチレン層
【図１】
2020171536.tif 000004
【図２】
2020171536.tif 000005
【図３】
2020171536.tif 000006
【図４】
2020171536.tif 000007
【図５】
2020171536.tif 000008